(57)【特許請求の範囲】
【請求項１】
厨房家具を設置する床表面に敷設し、厨房家具の前面側から着脱自在な１個または複数個のノズルを配設したスペーサ部材と、エアゾールタイプの殺虫剤または忌避剤等の薬剤を内蔵した薬剤供給装置を備え、前記ノズルと薬剤供給装置とが、中空状の給液パイプとジョイント部材を介して、薬剤供給が可能な構成とした防虫装置。
【請求項２】
スペーサー部材に複数個の貫通穴あるいは切欠きを配置し、内側と外側が通気可能に構成した請求項１記載の防虫装置。
【請求項３】
薬剤供給装置が防虫装置本体から着脱自在な構成とした請求項１または２記載の防虫装置。
【請求項４】
薬剤供給装置にタイマー機能を有するコントロール装置を備え、間欠的に薬剤の供給可能な構成とした請求項１〜３のいずれか１項記載の防虫装置。
【請求項５】
スぺーサー部材の敷設側表面に粘着剤を塗布した請求項１〜４のいずれか１項記載の防虫装置。
【発明の詳細な説明】
【０００１】
【発明の属する技術分野】
本発明は屋内における不快害虫の駆除に関するものであり、特にキッチン空間に多いゴキブリ等、床や壁面等を主として移動する不快害虫を駆除する防虫装置に関するものである。
【０００２】
【従来の技術】
従来のこの種の防虫装置は特開平０８−２０５７５１号公報に記載されているようなものが一般的であった。この防虫装置はゴキブリ忌避剤を混入した基材を厨房家具の設置部の床面或いは壁面等に貼設するように構成されている。そしてこの防虫装置は上記基材に混入した忌避剤によりゴキブリを駆除する。
【０００３】
【発明が解決しようとする課題】
しかしながら上記従来の防虫装置では、薬剤は初期段階に基材に混入しているのみである、そのため薬剤の量に制限があり、効力が短期間であるとともに、使用期間に伴なって効力も低下する。効力が低下した場合装置全体を交換する必要があり、その際厨房家具全体の移動移設がともなう。そのため厨房家具の耐用年数である１０年〜２０年の長期間にわたり効力を維持することが出来ないという課題があった。
【０００４】
【課題を解決するための手段】
本発明は上記課題を解決するため、厨房家具を設置する床表面に敷設し、厨房家具の前面側から着脱自在な１個または複数個のノズルを配設したスペーサ部材と、エアゾールタイプの殺虫剤または忌避剤等の薬剤を内蔵した薬剤供給装置を備え、前記ノズルと薬剤供給装置とが、中空状の給液パイプとジョイント部材を介して、薬剤供給が可能な構成とした。
【０００５】
上記発明によれば薬剤供給装置に大量に保持した薬剤を、ノズルに供給し、厨房家具の設置床面に散布することができるため、長期間にわたり効力を維持することができる。しかも厨房家具を移動移設することなく、ノズル等機能部材の修理メンテナンスが、本防虫装置の前面から容易にできるという効果がある。
【０００６】
【発明の実施の形態】
本発明の請求項１にかかる防虫装置は、厨房家具を設置する床表面に敷設し、厨房家具の前面側から着脱自在な１個または複数個のノズルを配設したスペーサ部材と、エアゾールタイプの殺虫剤または忌避剤等の薬剤を内蔵した薬剤供給装置を備え、前記ノズルと薬剤供給装置とが、中空状の給液パイプとジョイント部材を介して、薬剤供給が可能な構成とした。
【０００７】
本発明の請求項２にかかるスペーサー部材は複数個の貫通穴あるいは切欠きを配置し、内側と外側が通気可能な構成になってお、スペーサー部材内部に散布された薬剤の一部が、貫通穴を通ってスペーサー部材の外部近傍にも散布される、特にスぺーサー部材の後部は厨房家具の背面とキッチンの壁面であり害虫が好んで生息する場所であり、防虫効果は大きい。
【０００８】
本発明の請求項３にかかる薬剤供給装置が着脱自在な構成であり、薬剤を散布する時以外は、薬剤供給装置を取り外せるので、薬剤の交換・補充及び保管が簡単かつ安全に行なうことができる。
【０００９】
本発明の請求項４にかかる薬剤供給装置は、タイマー機能を有するコントロール装置を備え。そのため薬剤を間欠的に供給できるため、長期間にわたりスペーサー部材内の薬剤濃度を一定に保つことができ、安定した防虫効果を得ることができる。
【００１０】
本発明の請求項５にかかるスペーサー部材は、部材の敷設側表面に粘着剤を塗布したものであり、拡散部材の床面への敷設が容易になるとともに、その上に厨房家具を設置する場合に、スペーサー部材が不用意に移動することを防止することができる。
【００１１】
【実施例】
以下、本発明の実施例について図面を用いて説明する。
【００１２】
（実施例１）
図１は本発明の実施例を厨房家具とセットで実際の使用状態を示す外観斜視図である。床面に枠状のスペーサー部材１を敷設し、その上に厨房家具２を設置してあり、前記スペーサー部材１は厨房家具２のほぼ全設置面にわたって敷設している。
【００１３】
図２は同実施例の防虫装置の外観斜視図でここに示すように、スペーサー部材１は桟材４本で枠状に構成されいる。スペーサー部材１の前辺１ａには複数のノズル３とジョイント部材４が配設してある。ジョイント部材４と薬剤供給装置５とは中空の給液パイプ６で連通してある。図３は同実施例のスペーサー部材１の詳細を示す斜視図で、ここに示すように前辺１ａと後辺１ｂ同形状で、略コ字型の断面で、前後方向に貫通する貫通穴１ｃがほぼ等間隔に配設してある。図４は同実施例の要部斜視図で、ここに示すようにスペーサー部材１の前辺１ａの適当な間隔で選択された貫通穴１ｃに前面より複数のノズル３が着脱自在に挿入されている。複数のノズル３相互間及びジョイント部材４のソケット４ａとは給液パイプ６で連接されており、それらはスペーサー部材１の溝部１ｄに収納される。薬剤供給装置５のバルブボタン５ａに接続された給液パイプ６の先端にはジョイント部材４のプラグ４ｂが固着されており、前記ソケット４ａに着脱自在に挿入できる。
【００１４】
次に動作、作用について説明すると、薬剤供給装置５のバルブボタン５ａを押圧し薬剤を噴射すると、薬剤は給液パイプ６を通って全てのノズル３からスペーサー部材１の内側に向かって霧状となって噴霧される。図５に示すように霧状の薬剤はスぺーサー部材１の内部、厨房家具２の底部空間２ａに充満し時間が経過するとスペーサー部材１内部の床面７や厨房家具２底板２ｂ等に付着する。一方一部の薬剤は貫通穴１ｃを通ってスペーサー部材１の外側に流れ、後部に出た薬剤は厨房家具２の背面２ｃや相対する壁面８に塗布される。また前面に出た薬剤は厨房家具２の底部前面２ｄや近傍の床面に塗布される。したがって厨房家具の設置床面を中心にその近傍を含め防虫効果を発揮することができる。噴射終了後は、プラグ４ｂをソッケト４ａから外すことにより、薬剤供給装置５を容易に収納保管ができる。薬剤は時間経過ともに防虫効果が低下するので一定期間経過後（例えば３ヶ月後）にプラグ４ｂをソッケト４ａに接続し同様に薬剤を塗布することにより、防虫効果を維持することができる。また薬剤供給装置５のカートリッジ５ｂを交換することにより長期間にわたり効果の持続が可能である。
【００１５】
そして、ノズル３、ソケット４ａ、給液パイプ６等の機能部品は全てスペーサー部材１の前面から着脱自在の構成であるため、例えばノズル３が埃で目詰まりした場合など、厨房家具を移動移設することなく、容易に修理、交換をすることができる。
【００１６】
（実施例２）
図６は本発明実施例２を示す斜視図で、図８は同実施例２における要部外観斜視図、図９は薬剤供給装置の断面図である。ここに示すように薬剤供給装置５は外装ケース５ｃの内部に相互に電気的に接合されたソレノイドを主機能とした駆動装置５ｄ、タイマーを主機能としたコントロール装置５ｅ、乾電池９を主機能とする電源部５ｆとともにエアゾールタイプの薬剤カートリッジ５ｂが配置されている。薬剤カートリッジ５ｂの先端部には、駆動装置５ｄの押圧により薬剤が噴射するバルブ機構を備えた噴射筒５ｇがあり、駆動装置５ｄに挿入されており、給液パイプ６と連接している。また薬剤カートリッジ５ｂの取出し交換のため、着脱自在のカートリッジ蓋５ｈを設けてある。また電池蓋５ｉも着脱自在で電池９の交換ができる構成である。給液パイプはジョイント部材４を介してノズル３に連接されている。カートリッジ蓋５ｈと電池蓋５ｉは厨房家具２前面と同一方向に設けてある。なお、実施例１と同一符号のものは同一構造を有し、説明は省略する。
【００１７】
次に動作、作用を説明すると、本実施例２の場合、コントロール装置５ｅのタイマーにより通電されると、駆動装置５ｄのソレノイドが励起され、薬剤カートリッジ５ｂの噴射筒５ｇを押圧し薬剤を噴射する、薬剤は給液パイプ６を通ってノズル３から噴霧される。したがってタイマー機能によって適当は間隔で、薬剤を自動的に噴霧することができ、取扱の手間を掛けずに長期間にわたり効果の持続が可能である。
【００１８】
（実施例３）
図９は本発明の実施例３のスペーサー部材１を示す斜視図である。実施例３において、拡散部材１の裏面に粘着剤１ｅを塗布したものである。
【００１９】
なお、実施例１と同一符号のものは同一構造を有し、説明は省略する。
【００２０】
次に動作、作用を説明すると、拡散部材１を床表面に敷設する場合、粘着剤１ｂにより決めた位置に確実に固定することができるとともに、敷設後も移動しにくく、その上部に厨房家具２を設置する場合もやりやすいという効果がある。
【００２１】
なお、上記各実施例の防虫装置は床に敷設したスペーサー部材の上に厨房家具を載置して使用する構造であり、載置する厨房家具は、システムキッチンのキャビネットのみに限らず、冷蔵庫や食器洗い機、洗面台などの防虫対策のしにくい機器も含み、これらを総称して厨房家具という。
【００２２】
また、薬剤を厨房家具の底部を中心に散布するため、キッチン空間全体への拡散が防止でき、食器や食品に薬剤がかかることを防止することができ衛生的である。
【００２３】
【発明の効果】
以上説明したように本発明に係る防虫装置は、システムキッチン等の厨房家具を設置する床表面に敷設し、前面から着脱自在な１個または複数個のノズルを配設したスペーサ部材と、エアゾールタイプの殺虫剤または忌避剤等の薬剤を内蔵した薬剤供給装置を備え、前記薬剤供給装置からノズルに薬剤供給が可能な構成としたので、大量の薬剤を薬剤供給装置の中に保存し供給できることから、長期間にわたり防虫効果を維持でき、なおかつ機能部品の修理メンテナンスが容易にできるという効果がある。
【図面の簡単な説明】
【図１】本発明の実施例１における防虫装置に厨房家具を組合わせ設置した場合の外観斜視図
【図２】本発明の実施例１における防虫装置の外観斜視図
【図３】本発明の実施例１におけるスペーサー部材の要部外観斜視図
【図４】本発明の実施例１におけるスペーサー部材と機能部材の要部斜視図
【図５】本発明の実施例１における防虫装置に厨房家具を組合わせ設置した場合の要部断面図
【図６】本発明の実施例２における防虫装置の外観斜視図
【図７】本発明の実施例２における防虫装置の要部外観斜視図
【図８】本発明の実施例２における薬剤供給装置の断面図
【図９】本発明の実施例３におけるスペーサー部材の外観斜視図
【符号の説明】
１  スペーサー部材
１ｃ  貫通穴
１ｄ  溝部
１ｅ  粘着剤
２  厨房家具
３  ノズル
４  ジョイント部材
４ａ  ソケット
４ｂ  プラグ
５  薬剤供給装置
５ｂ  薬剤カートリッジ
５ｄ  駆動装置
５ｅ  コントロール装置
５ｆ  電源部
６  給液パイプ
【図１】
0003846291.tif 000002
【図２】
0003846291.tif 000003
【図３】
0003846291.tif 000004
【図４】
0003846291.tif 000005
【図５】
0003846291.tif 000006
【図６】
0003846291.tif 000007
【図７】
0003846291.tif 000008
【図８】
0003846291.tif 000009
【図９】
0003846291.tif 000010